(57)【要約】    【課題】作業現場におけるエネルギー損失が小さく、機械寿命、作業環境の改善の面でも有利となる車両搭載型作業機を提供する。    【解決手段】走行用運転室２を有するトラック型車両４の荷台３上に、旋回装置５を介して旋回体７を設置し、その旋回体７に作業用運転室９を設置する。また、旋回体７に、作業用フロント１０を取付ける。車両４に走行用エンジン２１と走行用燃料タンク２２を搭載する。旋回体７に作業用エンジン２４と作業用燃料タンク２５とを搭載する。【選択図】図１
2006205922.tif 000002
【特許請求の範囲】
【請求項１】
走行用運転室を有するトラック型車両の荷台上に、旋回装置を介して旋回体を設置し、その旋回体に作業用運転室を設置すると共に、作業用フロントを取付けてなる車両搭載型作業機において、
前記車両に走行用エンジンと走行用燃料タンクとを搭載し、
前記旋回体に作業用エンジンと作業用燃料タンクとを搭載した
ことを特徴とする車両搭載型作業機。
【請求項２】
請求項１に記載の車両搭載型作業機において、
前記車両に搭載した走行用燃料タンクの給油口と、前記旋回体に搭載した作業用燃料タンクの車両走行時の姿勢における給油口とを車両の左右いずれか同じ側に設けた
ことを特徴とする車両搭載型作業機。
【発明の詳細な説明】
【技術分野】
【０００１】
本発明は、運転室を有するトラック型車両の荷台上に、旋回装置を介して旋回体を設置し、その旋回体に運転室を設置すると共に、作業用フロントを取付けてなる車両搭載型作業機に関する。
【背景技術】
【０００２】
一般道路を走行可能な走行用運転室を有するトラック型車両の荷台上に、旋回装置を介して旋回体を設置し、その旋回体上に作業用運転部を搭載すると共に、作業用フロントを取付けた作業機が、例えば特許文献１に記載されている。このようなトラック型車両の荷台上に作業機本体（旋回装置、運転部および作業用フロント）を搭載した作業機は、道路工事、水道工事、ガス工事その他の各種工事の工事現場と作業機の待機場所との間を迅速に往復できることから、比較的所要時間が短い工事に適したものである。
【０００３】
この種の作業機において、従来は、車両に燃料タンクとエンジンを搭載し、エンジンにより駆動される液圧ポンプにより発生させる作動液を、旋回装置に設けたセンタージョイントを介して作業用フロントや旋回体上に設置されている液圧装置（液圧シリンダや液圧モータ）に供給する構成を有していた。
【０００４】
【特許文献１】実開平６−１２５４７号公報
【発明の開示】
【発明が解決しようとする課題】
【０００５】
従来の車両搭載型作業機は、前述のように、車両の走行用エンジンにより液圧ポンプを駆動し、その液圧ポンプにより昇圧した作動液を作業機本体の液圧装置に供給して作業機本体を作動させているので、工事等の作業中も車両の走行用エンジンを駆動しなければならない。
【０００６】
ところが、走行用エンジンの出力に比べ、作業に要する出力は小さくてすむので、走行用エンジンを作業に用いるのは過剰設備となり、エネルギー損失が大きく、さらに走行中のみならず作業中もエンジンを作動させるので、エンジンの寿命を短くするという問題点がある。
【０００７】
また、作業現場において、走行用エンジンの作動により近隣への騒音被害を起こし易い上、車両の荷台の後部のマフラー、すなわち車両の下部から排気ガスを飛散させるので、車両の周囲で作業する作業員がその排気ガスによる健康上の被害を受け易いという問題点がある。
【０００８】
本発明は、上記問題点に鑑み、作業現場におけるエネルギー損失が小さく、機械寿命、作業環境の改善の面でも有利となる車両搭載型作業機を提供することを目的とする。また、本発明の他の目的は、給油の便の面でも有利な構成の車両搭載型作業機を提供することにある。
【課題を解決するための手段】
【０００９】
請求項１の車両搭載型作業機は、走行用運転室を有するトラック型車両の荷台上に、旋回装置を介して旋回体を設置し、その旋回体に作業用運転室を設置すると共に、作業用フロントを取付けてなる車両搭載型作業機において、
前記車両に走行用エンジンと走行用燃料タンクとを搭載し、
前記旋回体に作業用エンジンと作業用燃料タンクとを搭載した
ことを特徴とする。
【００１０】
請求項２の車両搭載型作業機は、請求項１において、
前記車両に搭載した走行用燃料タンクの給油口と、前記旋回体に搭載した作業用燃料タンクの車両走行時の姿勢における給油口とを車両の左右いずれか同じ側に設けた
ことを特徴とする。
【発明の効果】
【００１１】
請求項１の発明は、荷台に設置した旋回装置の旋回体に、走行用エンジンおよび走行用燃料タンクとは別に作業用エンジンおよび作業用燃料タンクを設置したものであり、この作業用エンジンは、走行用エンジンに比較して出力の小さなものですむため、作業中にはこの比較的小さな出力の作業用エンジンを用いて作業を行なうことができる。このため、作業中におけるエネルギー損失が小さくなり、また、作業中は走行用エンジンは停止しているので、トータルのエンジン寿命を長くすることができる。
【００１２】
また、作業現場において、走行用エンジンは停止させ、比較的小さな出力の作業用エンジンを作動させて作業を行なうため、近隣への騒音被害の問題を解消できる。また、本発明においては、旋回体に作業用エンジンを搭載したので、その排気ガスを上方に向けて排出することができ、地面上で作業する作業員への排気ガスによる健康上の被害の発生を軽減することができる。
【００１３】
請求項２の発明によれば、車両に搭載した走行用燃料タンクの給油口と、旋回体に搭載した作業用燃料タンクの車両走行時の姿勢における給油口とを車両の左右同じ側に設けたので、給油所において、給油スタンド側に給油口を向けて停車することにより、車両をターンさせることなく、車両を同じ側に向けたままで２つの燃料タンクへの給油を行なうことができる。
【発明を実施するための最良の形態】
【００１４】
図１は本発明による車両搭載型作業機の一実施の形態を示す側面図、図２はその平面図である。この作業機は、車輪１ａを有する車体１と走行用運転室２と荷台３とを有するトラック型車両４における荷台３上に、旋回装置５を介して作業機本体６を搭載する。作業機本体６は、旋回装置５の旋回体７に、作業用運転室９を設置すると共に、作業用フロント１０を取付ける。この例の作業用フロント１０は、旋回体７に揺動用シリンダ１１により揺動フレーム１２を水平揺動させる水平揺動装置１３と、この揺動フレーム１２にブームシリンダ１４により起伏可能に取付けられたブーム１５と、ブーム１５の先端にアームシリンダ１６により回動可能に取付けたアーム１７と、アーム１７の先端にバケットシリンダ１９により回動可能に取付けたバケット２０とからなる。
【００１５】
２１は車両４の車体１における走行用運転室２の下方に搭載した走行用エンジン、２２は車両４の車体１における荷台３の下方に搭載した走行用燃料タンクである。２３はこの走行用燃料タンク２２に給油を行なうための給油口であり、この給油口２３は車両の片側（本例では右側）に設ける。
【００１６】
２４は旋回体７における作業用運転室９の下方に搭載した作業用エンジン、２５はこの作業用エンジン２４に燃料油を供給するために旋回体７における運転室９の側方に搭載した作業用燃料タンクである。２６はこの作業用燃料タンク２５に給油を行なうための給油口であり、この給油口２６は、図示のような作業機本体６の走行時の姿勢、すなわちアーム１７を折り曲げて支持フレーム２９上に載せた姿勢の時に、前記走行用燃料タンク２２の給油口２３と同じ片側（本例では右側）に設ける。
【００１７】
前記作業用エンジン２４は、旋回装置５に用いる液圧モータや、揺動用シリンダ１１、ブームシリンダ１４、アームシリンダ１６およびバケットシリンダ１９の油圧源として設置する液圧ポンプや、バッテリーの電源と発電機を駆動するものである。２７は作業用エンジン２４の排気ガスを排出する排気管であって、作業員の頭部より高い位置で上方に向けて排気ガスを排気するように構成されている。
【００１８】
このように、本発明においては、トラック型車両４の荷台３に設置した旋回装置７の旋回体７に、走行用エンジン２１や走行用燃料タンク２２とは別に作業用エンジン２４および作業用燃料タンク２５を設置したものであり、この作業用エンジン２４は、走行用エンジン２１に比較して出力の小さなものですむため、作業中にはこの比較的小さな出力の作業用エンジン２４を用いて作業を行なうことができる。このため、作業中におけるエネルギー損失が小さくなり、また、作業中は走行用エンジン２１は停止しているので、走行用エンジン２１のトータルのエンジン寿命を長くすることができる。
【００１９】
また、作業現場において、走行用エンジン２１を停止させ、比較的小さな出力の作業用エンジン２４を作動させて作業を行なうため、近隣への騒音被害の問題を解消できる。また、本発明においては、旋回体７に作業用エンジン２４を搭載したので、その排気ガスを旋回体７上に設けた排気管２７により上方に向けて排出することができ、地面上で作業する作業員への排気ガスによる健康上の被害の発生を軽減することができる。
【００２０】
また、車両４に搭載した走行用燃料タンク２２の給油口２３と、旋回体７に搭載した作業用燃料タンク２５の車両走行時の姿勢における給油口２６とを車両の左右同じ側に設けたので、給油所において、給油スタンド側に給油口を向けて停車することにより、車両をターンさせることなく、車両を同じ側に向けたままで２つの燃料タンクへの給油を行なうことができる。
【００２１】
本発明において、旋回体７に取付ける作業用フロント１０としては前記多関節アームを用いたもの以外に伸縮式アームを用いたもの等がある。また、バケット２０以外に他の掘削具、破砕具、解体具、把持具あるいは農業用、園芸用等の各種作業具を用いることができる。また、給油口２３、２６は車両４の左側に設けてもよい。
【図面の簡単な説明】
【００２２】
【図１】本発明による車両搭載型作業機の一実施の形態を示す側面図である。
【図２】図１の平面図である。
【符号の説明】
【００２３】
１ａ：車輪、１：車体、２：走行用運転室、３：荷台、４：車両、５：旋回装置、６：作業機本体、７：旋回体、９：作業用運転室、１０：作業用フロント、１１：揺動用シリンダ、１２：揺動フレーム、１３：水平揺動装置、１４：ブームシリンダ、１５：ブーム、１６：アームシリンダ、１７：アーム、１９：バケットシリンダ、２０：バケット、２１：走行用エンジン、２２：走行用燃料タンク、２３：給油口、２４：作業用エンジン、２５：作業用燃料タンク、２６：給油口、２７：排気管、２９：支持フレーム
【図１】
2006205922.tif 000003
【図２】
2006205922.tif 000004